(57)【特許請求の範囲】
【請求項１】
電子機器のソケットに接続可能なコネクタを支持するコネクタ支持体と、
互いに対向する一対の面を有し、前記コネクタ支持体の両端部に接続される一対の弾性部材と、
一端側には前記電子機器の一対の側面に形成された凹部のうちの一方に係合可能な凸部が形成され、他端側は一対の前記弾性部材のうちの一方における前記一対の面のうちで前記コネクタ支持体に接続されている方の面とは異なる面に接続し、前記凹部に前記凸部を係合して前記コネクタと前記ソケットとの接続状態を保持する一対のロック部と、
を備えることを特徴とする充電用アダプタ。
【請求項２】
前記電子機器を収容可能な収容部をさらに備え、
前記弾性部材は、前記収容部の底面の一部を構成していることを特徴とする請求項１に記載の充電用アダプタ。
【請求項３】
前記コネクタ支持体、前記ロック部及び前記弾性部材は、外装ケース内に収納されており、
前記外装ケースは、外方に露出した電源ソケットを備え、
前記電源ソケットは、前記コネクタとフレキシブルケーブルで電気的に接続されていることを特徴とする請求項１又は２に記載の充電用アダプタ。
【請求項４】
前記ロック部は、前記外装ケースに支持される軸部を有し、軸部を中心に回動することを特徴とする請求項３に記載の充電用アダプタ。
【請求項５】
前記コネクタは充電用コネクタであり、
前記コネクタ支持体には、さらにデータ通信用コネクタが設けられていることを特徴とする請求項１乃至４のいずれか１項に記載の充電用アダプタ。
【請求項６】
前記弾性部材は、ショア硬さがＡ３０以上Ａ６０以下であることを特徴とする請求項１乃至５のいずれか１項に記載の充電用アダプタ。
【発明の詳細な説明】
【技術分野】
【０００１】
本発明は、充電用アダプタに関する。
【背景技術】
【０００２】
携帯電話機や携帯用情報端末などの電子機器には、充電器に載置するだけで充電されるものがある。
【０００３】
しかし、電子機器は、単に充電器に載置されているだけであるので、充電中に軽く接触するだけで、充電器から脱落する場合があった。
【０００４】
そこで、電子機器が充電器から脱落しないように、バネ片で電子機器を拘束する充電器が提供されている（例えば、特許文献１を参照）。
【先行技術文献】
【特許文献】
【０００５】
【特許文献１】特開平９−４６２６２号公報
【発明の概要】
【発明が解決しようとする課題】
【０００６】
特許文献１に記載の充電器では、バネ片が、充電器の本体に片持ち梁状に一体的に形成されている。そのため、充電器の本体を切り欠く必要があり、製造が複雑であった。
【０００７】
本発明は、このような問題点に着目してなされたもので、電子機器が脱落することがなく、製造の簡素化を図ることが可能な充電用アダプタを提供することを目的とする。
【課題を解決するための手段】
【０００８】
前記目的を達成するために、本発明に係る充電用アダプタは、電子機器のソケットに接続可能なコネクタを支持するコネクタ支持体と、互いに対向する一対の面を有し、前記コネクタ支持体の両端部に接続される一対の弾性部材と、一端側には前記電子機器の一対の側面に形成された凹部のうちの一方に係合可能な凸部が形成され、他端側は一対の前記弾性部材のうちの一方における前記一対の面のうちで前記コネクタ支持体に接続されている方の面とは異なる面に接続し、前記凹部に前記凸部を係合して前記コネクタと前記ソケットとの接続状態を保持する一対のロック部と、を備えることを特徴とする。
【発明の効果】
【０００９】
本発明によれば、電子機器が脱落することがなく、製造の簡素化を図ることが可能な充電用アダプタを提供することができる。
【図面の簡単な説明】
【００１０】
【図１】（ａ）は、本発明の実施形態に係る充電用アダプタに充電される電子機器の正面図であり、（ｂ）は、本発明の実施形態に係る充電用アダプタの正面図である。
【図２】（ａ）は、本発明の実施形態に係る充電用アダプタに充電される電子機器の右側面図であり、（ｂ）は、本発明の実施形態に係る充電用アダプタの右側面図であり、（ｃ）は、図１（ｂ）のＸ−Ｘ断面図である。
【図３】本発明の実施形態に係る充電用アダプタのコネクタユニットの正面図である。
【図４】（ａ）は、本発明の実施形態に係る充電用アダプタの下ケースの正面図であり、（ｂ）は、（ａ）のＹ−Ｙ断面図である。
【図５】本発明の実施形態に係る充電用アダプタのコネクタユニットを下ケースに収容した状態の正面図である。
【図６】（ａ）は、本発明の実施形態に係る充電用アダプタに電子機器が収容されている途中であってロック部材が回動している状態を模式的に示す図であり、（ｂ）は、充電用アダプタに電子機器が収容されている状態を模式的に示す図である。
【図７】（ａ）は、本発明の実施形態に係る充電用アダプタに収容されている電子機器に上方から力が加えられた状態を模式的に示す図であり、（ｂ）は、充電用アダプタの弾性部材が撓んでコネクタ支持体が下方に移動した状態を模式的に示す図である。
【図８】（ａ）は、本発明の実施形態に係る充電用アダプタに収容されている電子機器に左側方から力が加えられた状態を模式的に示す図であり、（ｂ）は、充電用アダプタの弾性部材が収縮及び伸張して、コネクタ支持体が左に移動した状態を模式的に示す図である。
【図９】本発明の他の実施形態に係る充電用アダプタのコネクタユニットを下ケースに収容した状態の正面図である。
【発明を実施するための形態】
【００１１】
（実施形態）
以下、本発明の実施の形態に係る充電用アダプタを、図面を参照して説明する。尚、図１（ａ）及び（ｂ）に示す電子機器８０及び充電用アダプタ１０の紙面上側を「上側」、紙面下側を「下側」、紙面左側を「左側」、紙面右側を「右側」、として以下説明する。
【００１２】
図１（ｂ）及び図２（ｂ）に示すように、本発明の実施形態に係る充電用アダプタ１０は、電子機器８０を収容することができる収容凹部１１を有している。充電用アダプタ１０に収容される電子機器８０は、図１（ａ）及び図２（ａ）に示すように、下面に、電源の供給を受けるための機器側電源ソケット８４と、データを送受信するための機器側通信用ソケット８５とを有し、また、左右の側面に、後述するロック部材と係合する凹部８７Ａ、８７Ｂを有している。
【００１３】
図１（ｂ）に示すように、充電用アダプタ１０は、コネクタユニット２０と、ケース６０と、から構成されている。
【００１４】
詳しくは、図３に示すように、コネクタユニット２０は、コネクタ支持体３０と、弾性部材４０Ａ、４０Ｂと、ロック部材５０Ａ、５０Ｂと、ソケットケース５５と、フレキシブルケーブル５８と、を備えている。
【００１５】
コネクタ支持体３０は、略直方体状であって、硬質の樹脂から形成されている。コネクタ支持体３０は、上面３０ａ、すなわち収容凹部１１側の面（図１（ｂ）参照）に、電子機器８０の機器側電源ソケット８４と接続して電源を供給するＡＣ電源コネクタ３１と、機器側通信用ソケット８５と接続してデータを送受信するデータ通信用コネクタ３２と、を備えている。
【００１６】
弾性部材４０Ａ、４０Ｂは、略直方体状であって、ショア硬さがＡ３０以上Ａ６０以下であるゴムから形成されている。弾性部材４０Ａ、４０Ｂの一つの面は、コネクタ支持体３０の左又は右の側面に接着剤により接続されている。また、弾性部材４０Ａ、４０Ｂは、その上面がコネクタ支持体３０の上面３０ａよりも上方となるように接続されている。
【００１７】
弾性部材４０Ａ、４０Ｂのコネクタ支持体３０に接続されている面と対向する面は、ロック部材５０Ａ、５０Ｂの下端部近傍に接着剤により接続されている。ロック部材５０Ａ、５０Ｂは、硬質の樹脂から形成されており、上端部に突起５１Ａ、５１Ｂを、下端部に押圧部５２Ａ、５２Ｂを有している。突起５１Ａ、５１Ｂは、上側、すなわち、電子機器８０を収容するときに電子機器８０と当接する側に、傾斜面を有している。
【００１８】
また、ロック部材５０Ａ、５０Ｂの、突起５１Ａ、５１Ｂと、押圧部５２Ａ、５２Ｂとの間には、図３の紙面垂直手前側及び奥側に延出された回動軸５３Ａ、５３Ｂが形成されている。
【００１９】
ソケットケース５５は、電源ケーブルを接続することができるＡＣ電源ソケット５６と、ＵＳＢコネクタを接続することができるＵＳＢソケット５７と、を備えている。ソケットケース５５は、コネクタ支持体３０に、撓ませたフレキシブルケーブル５８によって電気的に接続されている。
【００２０】
次に、上述のコネクタユニット２０が収容されるケース６０について説明する。ケース６０は、硬質樹脂から形成された略同じ大きさ及び形状の上ケース６１と下ケース６２とからなり（図２（ｂ）及び（ｃ）参照）、上ケース６１と下ケース６２とが互いに嵌め合わされて構成されている。以下、説明を簡単にするため、下ケース６２について説明する。また、上ケース６１と下ケース６２とで共通する構成については、特に説明する場合を除き、同一の符号を付すなどしてその説明を省略する。
【００２１】
図４（ａ）に示すように、下ケース６２は、左右にロック部材５０Ａ、５０Ｂを収容可能なロック部材収容部６３Ａ、６３Ｂを有している。ロック部材収容部６３Ａ、６３Ｂの下方には、ロック部材５０Ａ、５０Ｂの回動軸５３Ａ、５３Ｂを支持する支持部６４Ａ、６４Ｂが設けられている。
【００２２】
また、図４（ａ）及び（ｂ）に示すように、ロック部材収容部６３Ａ、６３Ｂの収容凹部１１側（図１（ｂ）参照）の側面には、切欠部１２ａ、１２ｂが、形成されている。
【００２３】
また、図４（ａ）及び（ｂ）に示すように、下ケース６２の左右の外側面には、切欠部１３１、１３２が、下面には、切欠部１４１が、それぞれ形成されている。
【００２４】
以上のように構成された下ケース６２の支持部６４Ａ、６４Ｂに、上述のコネクタユニット２０の回動軸５３Ａ、５３Ｂを挿入しつつ、コネクタユニット２０を下ケース６２に収容する。すると、図５に示すように、ロック部材５０Ａ、５０Ｂは、ロック部材収容部６３Ａ、６３Ｂ内に収容される。
【００２５】
このとき、図５に示すように、ロック部材５０Ａ、５０Ｂの突起５１Ａ、５１Ｂが、下ケース６２の切欠部１２ａ、１２ｂ内に位置すると共に、ロック部材５０Ａ、５０Ｂの押圧部５２Ａ、５２Ｂが、下ケース６２の切欠部１３１、１３２内に位置する。さらに、コネクタ支持体３０に接続されているソケットケース５５は、下ケース６２の切欠部１４１内に位置する。
【００２６】
この状態で、下ケース６２に、図５の紙面垂直手前方向から、上ケース６１を嵌め合わせることにより、充電用アダプタ１０が組み立てられる。このとき、図２（ｃ）示すように、ロック部材５０Ａの突起５１Ａは、上ケース６１の切欠部１２ａと、下ケース６２の切欠部１２ａとが対向することにより形成される開口の中に位置する。尚、ロック部材５０Ｂの突起５１Ｂも同様であるため、説明を省略する。
【００２７】
また、図２（ｂ）に示すように、ロック部材５０Ｂの押圧部５２Ｂが、上ケース６１の切欠部１３２と、下ケース６２の切欠部１３２とが対向することにより形成される開口の中に位置する。尚、ロック部５０Ａの押圧部５２Ａも同様であるため、説明を省略する。
【００２８】
また、ソケットケース５５は、上ケースの切欠部１４１（図示せず）と、下ケースの切欠部１４１とに挟まれて固定される。
【００２９】
また、図５に示すように、コネクタ支持体３０及び弾性部材４０Ａ、４０Ｂは、充電用アダプタ１０の収容凹部１１の底面を構成する。
【００３０】
以上のように構成された充電用アダプタ１０に、電子機器８０を収容するときの充電用アダプタ１０の動作について説明する。尚、説明を簡単にするため、ロック部材５０Ａ側の動作のみを説明する。
【００３１】
収容凹部１１に電子機器８０（一点鎖線参照）を入れて、下方に移動させると、電子機器８０の左の側面がロック部材５０Ａの突起５１Ａの傾斜面と当接する。すると、図６（ａ）に示すように、ロック部材５０Ａが回動軸５３Ａを中心に左回りに回動する。このとき、ロック部材５０Ａの押圧部５２Ａが、弾性部材４０Ａを内方に押圧するため、ロック部材５０Ａに接続された弾性部材４０Ａが曲げられ、弾性部材４０Ａには弾性力が蓄えられる。
【００３２】
電子機器８０の左側面で突起５１Ａの右端を押圧しつづけたまま、電子機器８０をさらに下方に移動させると、電子機器８０の凹部８７Ａが、突起５１Ａが形成されている位置に到達する。すると、弾性部材４０Ａに蓄えられていた弾性力が解放されて、ロック部材５０Ａが回動軸５３Ａを中心に右回りに回動する。
【００３３】
そして、図６（ｂ）に示すように、突起５１Ａが凹部８７Ａに係合する。
【００３４】
以上で、電子機器８０が充電用アダプタ１０に収容される。このとき、コネクタ支持体３０のＡＣ電源コネクタ３１及びデータ通信用コネクタ３２と、電子機器８０の機器側電源ソケット８４及び機器側通信用ソケット８５とが、それぞれ接続する。これにより、電子機器８０は、充電用アダプタ１０にロックされた状態で充電やデータの送受信が行われる。また、図６（ｂ）に示すように、電子機器８０が充電用アダプタ１０に収容された状態では、電子機器８０の下面は、弾性部材４０Ａ、４０Ｂの上面に当接している。
【００３５】
尚、充電用アダプタ１０から電子機器８０を取り外すときは、ロック部材５０Ａの押圧部５２Ａを内方に押圧して、ロック部材５０Ａを回動軸５３Ａを中心に左回りに回動させる。これにより、ロック部材５０Ａの突起５１Ａと、電子機器８０の凹部８７Ａとの係合が解除される。この状態で、電子機器８０を上方に引き抜くと、電子機器８０の各ソケットが充電用アダプタ１０の各コネクタから外れ、電子機器８０を充電アダプタ１０から取り外すことができる。
【００３６】
以上説明したように、本実施形態の充電用アダプタ１０によれば、ロック部材５０Ａ、５０Ｂを備えるために、充電用アダプタ１０の本体に複雑な加工をする必要がない。そのため、充電用アダプタ１０の製造の簡素化を図ることができる。
【００３７】
次に、上述のように充電用アダプタ１０に収容された電子機器８０の上に、例えば物が落下した場合、すなわち、電子機器８０が上方から力を受けた場合の、充電用アダプタ１０の動作について説明する。
【００３８】
図７（ａ）に示すように、電子機器８０（一点鎖線参照）が充電用アダプタ１０に収容された状態で、上方から力Ｆ１（矢印参照）を受けると、電子機器８０は下方へ移動しようとする。このとき、電子機器８０の各ソケットと、コネクタ支持体３０の各コネクタとが接続しているので、電子機器８０の各ソケットの奥部の面（図７では上側の面）が、コネクタ支持体３０の各コネクタの先端部を力Ｆ２、Ｆ３（矢印参照）で押圧する。そして、各コネクタがコネクタ支持部３０を下方へ押圧する。
【００３９】
このとき、図７（ｂ）に示すように、コネクタ支持体３０の左右の側面は、ゴムにより形成された弾性部材４０Ａ、４０Ｂに接続されているので、各コネクタによって下方へ押圧されたコネクタ支持体３０は、弾性部材４０Ａ、４０Ｂを撓ませながら、下方、すなわち電子機器８０に加わった力と同じ方向へ移動する。このようにして、コネクタ支持体３０の各コネクタが受けた下方への力は、弾性部材４０Ａ、４０Ｂによって吸収される。
【００４０】
以上説明したように、本実施形態の充電用アダプタ１０によれば、弾性部材４０Ａ、４０Ｂを撓ませることにより、コネクタ支持体３０を、下方向、すなわち電子機器８０の収容方向と同じ方向に移動させることができる。これにより、コネクタ支持体３０が受けた上方からの力を、弾性部材４０Ａ、４０Ｂが吸収するので、電子機器８０及びコネクタ支持体３０が損傷することを防ぐことができる。
【００４１】
次に、充電用アダプタ１０に収容された電子機器８０の側面に、例えば物がぶつかった場合、すなわち、電子機器８０が側方から力を受けた場合の、充電用アダプタ１０の動作について説明する。
【００４２】
図８（ａ）に示すように、電子機器８０（一点鎖線参照）が充電用アダプタ１０に収容された状態で、左側から力ｆ１（矢印参照）を受けると、電子機器８０は、収容凹部１１の開口部を構成する点Ｏを中心に右回りに回転しようとする（矢印Ｒ参照）。
【００４３】
このとき、電子機器８０の各ソケットと、コネクタ支持体３０の各コネクタとが接続している。そのため、図８（ａ）に示すように、電子機器８０の各ソケットの右側の内側面が、コネクタ支持体３０の各コネクタの右側面を、左側へ力ｆ２、ｆ３で押圧する（矢印参照）。そして、各コネクタがコネクタ支持体３０を左側へ押圧する。
【００４４】
このとき、図８（ｂ）に示すように、コネクタ支持体３０の左右の側面は、ゴムにより形成された弾性部材４０Ａ、４０Ｂに接続されてので、コネクタ支持体３０は、弾性部材４０Ａを収縮させ、弾性部材４０Ｂを伸張させて、左へ移動する。このようにして、各コネクタが受けた左方向への力は、弾性部材４０Ａ、４０Ｂによって吸収される。
【００４５】
以上説明したように、本実施形態の充電用アダプタ１０によれば、弾性部材４０Ａ、４０Ｂを収縮又は伸張させることにより、コネクタ支持体３０を、横方向、すなわち電子機器８０の収容方向に対して垂直な方向に移動させることができる。これにより、コネクタ支持体３０の各コネクタが受けた横方向の力を、弾性部材４０Ａ、４０Ｂが吸収するので、電子機器８０、及びコネクタ支持体３０が損傷することを防ぐことができる。
【００４６】
また、本実施形態の充電用アダプタ１０によれば、上述のとおり、コネクタ支持体３０を、横方向、すなわち電子機器８０の収容方向に対して垂直な方向に移動させることができる。そのため、例えば、コネクタ支持体３０の各コネクタの位置と、電子機器８０の各ソケットの位置が、多少ずれている場合であっても、弾性部材４０Ａ及び４０Ｂを収縮又は伸張させて、コネクタ支持体３０を、各コネクタと各ソケットとが接続可能な位置に移動させることができる。
【００４７】
なお、本発明は上記の実施形態に限定されるものではなく、種々の変形が可能である。
【００４８】
上記の実施形態では、ロック部材５０Ａ、５０Ｂの突起５１Ａ、５１Ｂは、上側、すなわち、電子機器８０を収容するときに電子機器８０と当接する側のみに、傾斜面を有していた。しかし、これに限定されるものではない。
【００４９】
例えば、図９に示すように、突起５１Ａ、５１Ｂの下側も、傾斜面で形成されていてもよい。こうすることにより、充電用アダプタ１０に収容された電子機器８０を上方へ引き抜いた場合、電子機器８０の凹部８７Ａ、８７Ｂ（図６（ｂ）参照）が、突起５１Ａ、５１Ｂの下側の傾斜面を押圧する。そして、ロック部材５０Ａ、５０Ｂは、弾性部材４０Ａ、４０Ｂを内側へ押圧しながら回動する。さらに電子機器８０を引き抜くと、凹部８７Ａ、８７Ｂが突起５１Ａ、５１Ｂを乗り越え、電子機器８０を充電用アダプタ１０から取り外すことができる。
【００５０】
これにより、上記実施形態のロック部材５０Ａ、５０Ｂのように、押圧部５２Ａ、５２Ｂを形成する必要がないので、一層製造の簡素化を図ることができる。
【００５１】
また、上記の実施形態では、コネクタ支持部３０と弾性部材４０Ａ、４０Ｂとを接着剤で接続した。また、弾性部材４０Ａ、４０Ｂと、ロック部材５０Ａ、５０Ｂと、を接着剤で接続した。しかし、これに限定されるものではない。コネクタ支持体３０と弾性部材４０Ａ、４０Ｂとの接続部分、及び弾性部材４０Ａ、４０Ｂとロック部材５０Ａ、５０Ｂとの接続部分を、二色成形により一体に形成してもよい。
【００５２】
また、上記の実施形態では、電子機器８０が充電用アダプタ１０から脱落せず、かつ、電子機器８０を容易に充電用アダプタ１０に収容することができるように、弾性部材４０Ａ、４０Ｂは、ショア硬さがＡ３０以上Ａ６０以下で形成されていた。しかし、ロック部材５０Ａ、５０Ｂの突起５１Ａ、５１Ｂの形状などを調整することにより、電子機器８０が充電用アダプタ１０から脱落することがなく、また、電子機器８０を充電アダプタ１０に容易に収容することができれば、ショア硬さは上記の数値に限定されるものではない。
【００５３】
尚、各種の携帯電話機、店舗で発注業務などに使用される業務用情報端末などの電子機器の充電用アダプタに本発明を適用することができる。すなわち、上述の実施形態は説明のためのものであり、本発明の範囲を制限するものではない。したがって、当業者であればこれらの各要素又は全要素をこれと均等なものに置換した実施形態を採用することが可能であるが、これらの実施形態も本発明の範囲に含まれる。以下に、本願出願の当初の特許請求の範囲に記載された発明を付記する。
【００５４】
（付記１）
電子機器のソケットに接続可能なコネクタを支持するコネクタ支持体と、
前記コネクタ支持体の両端部に接続される一対の弾性部材と、
一端側には前記電子機器の一対の側面に形成された凹部のうちの一方に係合可能な凸部が形成され、他端側は一対の前記弾性部材のうちの一方に接続し、前記凹部に前記凸部を係合して前記コネクタと前記ソケットとの接続状態を保持する一対のロック部と、
を備えることを特徴とする充電用アダプタ。
【００５５】
（付記２）
前記電子機器を収容可能な収容部をさらに備え、
前記弾性部材は、前記収容部の底面の一部を構成していることを特徴とする付記１に記載の充電用アダプタ。
【００５６】
（付記３）
前記コネクタ支持体、前記ロック部及び前記弾性部材は、外装ケース内に収納されており、
前記外装ケースは、外方に露出した電源ソケットを備え、
前記電源ソケットは、前記コネクタとフレキシブルケーブルで電気的に接続されている
ことを特徴とする付記１又は２に記載の充電用アダプタ。
【００５７】
（付記４）
前記ロック部は、前記外装ケースに支持される軸部を有し、軸部を中心に回動することを特徴とする付記３に記載の充電用アダプタ。
【００５８】
（付記５）
前記コネクタは充電用コネクタであり、
前記コネクタ支持体には、さらにデータ通信用コネクタが設けられていることを特徴とする付記１乃至４のいずれか１つに記載の充電用アダプタ。
【００５９】
（付記６）
前記弾性部材は、ショア硬さがＡ３０以上Ａ６０以下であることを特徴とする付記１乃至５のいずれか１つに記載の充電用アダプタ。
【符号の説明】
【００６０】
１０…充電用アダプタ、１１…収容凹部、２０…コネクタユニット、３０…コネクタ支持体、３１…ＡＣ電源コネクタ、３２…データ通信用コネクタ、４０Ａ，４０Ｂ…弾性部材、５０Ａ，５０Ｂ…ロック部材、５１Ａ，５１Ｂ…突起、５２Ａ，５２Ｂ…押圧部、５３Ａ，５３Ｂ…回動軸、５５…ソケットケース、５６…ＡＣ電源ソケット、５７…ＵＳＢソケット、６０…ケース、６１…上ケース、６２…下ケース、６３Ａ，６３Ｂ…ロック部材収容部、６４Ａ，６４Ｂ…支持部、８０…電子機器、８４…機器側電源ソケット、８５…機器側通信用ソケット、８７Ａ，８７Ｂ…凹部
【図１】
0005845615.tif 000002
【図２】
0005845615.tif 000003
【図３】
0005845615.tif 000004
【図４】
0005845615.tif 000005
【図５】
0005845615.tif 000006
【図６】
0005845615.tif 000007
【図７】
0005845615.tif 000008
【図８】
0005845615.tif 000009
【図９】
0005845615.tif 000010